(57)【要約】【課題】フォーカルプレンシャッタにおいて、羽根を駆動する駆動機構の駆動時に摩擦等により発生する金属粉などの塵埃が撮像素子に付着することを抑制可能な構成とする。【解決手段】フォーカルプレンシャッタにおいて、開口部を有する地板と、前記開口部を開閉するよう作動する羽根と、前記地板に設けられた、前記羽根を駆動する駆動機構と、前記駆動機構の前記開口部側を覆うよう配置されたカバーと、を備え、前記カバーの少なくとも一部は磁力を有する構成とする。【選択図】図２
2020101787.tif 000002
【特許請求の範囲】
【請求項１】
開口部を有する地板と、
前記開口部を開閉するよう作動する羽根と、
前記地板に設けられた、前記羽根を駆動する駆動機構と、
前記駆動機構の前記開口部側を覆うよう配置されたカバーと、を備え、
前記カバーの少なくとも一部は磁力を有している、
フォーカルプレンシャッタ。
【請求項２】
前記カバーは、磁力を有する素材で形成されている、
請求項１に記載のフォーカルプレンシャッタ。
【請求項３】
前記カバーは、磁力を有する樹脂で形成されている、
請求項１に記載のフォーカルプレンシャッタ。
【請求項４】
前記地板は、前記駆動機構との間に軸を有しており、
前記カバーは、前記軸に掛けられたフックを有する、
請求項１から請求項３のいずれか１項に記載のフォーカルプレンシャッタ。
【請求項５】
前記フックは、前記カバーの長手方向の途中位置に形成されている、
請求項４に記載のフォーカルプレンシャッタ。
【請求項６】
前記フックは、前記カバーの両端部近傍に形成されている、
請求項４に記載のフォーカルプレンシャッタ。
【請求項７】
前記フックは、端面が前記軸の一方の側方に当接する、
請求項４から請求項６のいずれか１項に記載のフォーカルプレンシャッタ。
【請求項８】
前記フックは、前記軸に向けて付勢される、
請求項７に記載のフォーカルプレンシャッタ。
【請求項９】
前記地板は、前記カバーの端部が挿入されるガイド溝を有している、
請求項１から請求項８のいずれか１項に記載のフォーカルプレンシャッタ。
【請求項１０】
前記カバーの前記駆動機構側の面の少なくとも一部には、粘着剤が配置されている、
請求項１から請求項９のいずれか１項に記載のフォーカルプレンシャッタ。
【請求項１１】
撮像素子と、
請求項１から請求項１０のいずれか１項に記載のフォーカルプレンシャッタと、を備える、
撮像装置。
【請求項１２】
撮像素子と、
請求項１から請求項１０のいずれか１項に記載のフォーカルプレンシャッタと、を備える、
電子機器。
【発明の詳細な説明】
【技術分野】
【０００１】
本発明の一態様は、カメラなどの撮像装置に用いられるフォーカルプレンシャッタなどに関する。
【背景技術】
【０００２】
シャッタ羽根によって開口部（露光開口、または画枠とも称する）を開閉することで撮像素子に対する露光を行うフォーカルプレンシャッタでは、地板上の開口部の側方にシャッタ羽根を作動させるための駆動機構が配置される構成となることが多い。このようなフォーカルプレンシャッタでは、機械部品の作動時に発生する塵埃が撮像素子に付着し、撮像する画像の画質が低下する場合がある。そのため、塵埃の発生を抑制したり、飛散を抑制したりする構成が考えられている。例えば、特許文献１には、シャッタ地板に取り付けられたシャッタ駆動機構を有する構成において、シャッタ地板に、シャッタ駆動機構が露光用の開口部との間になるようにして壁部を設けた構成が開示されている。
【先行技術文献】
【特許文献】
【０００３】
【特許文献１】特開２００３−１９５３９０号公報
【発明の概要】
【発明が解決しようとする課題】
【０００４】
しかし、近年求められる高品質の画質を取得可能なフォーカルプレンシャッタを構成するためには、従来構成では、駆動機構から発生する塵埃を吸着するなどして捕獲する構成が十分ではない場合があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
開口部を有する地板（１）と、
前記開口部を開閉するよう作動する羽根（２）と、
前記地板に設けられた、前記羽根を駆動する駆動機構（３）と、
前記駆動機構の前記開口部側を覆うよう配置されたカバー（４）と、を備え、
前記カバーの少なくとも一部は磁力を有している、
フォーカルプレンシャッタである。
【０００７】
上記構成のフォーカルプレンシャッタによれば、駆動機構で発生した金属粉などの塵埃をカバーで吸着、捕獲することが可能になる。ひいては、塵埃が撮像素子に付着することに起因する、当該フォーカルプレンシャッタを採用した撮像装置で撮像する画像の画質の低下を抑制することが可能となる。
【０００８】
上記フォーカルプレンシャッタにおいて、好ましくは、
前記カバーは、磁力を有する素材で形成されている。
【０００９】
上記構成のフォーカルプレンシャッタによれば、カバー自身が磁力を有する構成となるため、比較的簡易な構成で、金属粉などの塵埃を吸着、捕獲可能な構成にすることができる。また、カバー全体を、磁力を有する素材で形成することで、カバー全体で効果的に金属粉などの塵埃を吸着、捕獲することが可能となる。
【００１０】
上記フォーカルプレンシャッタにおいて、好ましくは、
前記カバーは、磁力を有する樹脂で形成されている。
【００１１】
上記構成のフォーカルプレンシャッタによれば、例えば、プラスチックマグネットなどを用いることで、射出成形などを利用することで、種々の形状に対応する構成にすることなどが可能となる。
【００１２】
上記フォーカルプレンシャッタにおいて、好ましくは、
前記地板は、前記駆動機構との間に軸を有しており、
前記カバーは、前記軸に掛けられたフック（４１ａ、４１ｃ）を有する。
【００１３】
上記構成のフォーカルプレンシャッタによれば、地板及び駆動機構にカバーを固定して安定させることができる。
【００１４】
上記フォーカルプレンシャッタにおいて、好ましくは、
前記フックは、前記カバーの長手方向の途中位置に形成されている。
【００１５】
上記構成のフォーカルプレンシャッタによれば、地板及び駆動機構に対してカバーをより安定的に固定させることができる。
【００１６】
上記フォーカルプレンシャッタにおいて、好ましくは、
前記フックは、前記カバーの両端部近傍に形成されている。
【００１７】
上記構成のフォーカルプレンシャッタによれば、地板及び駆動機構に対してカバーをより安定的に固定させることができる。
【００１８】
上記フォーカルプレンシャッタにおいて、好ましくは、
前記地板は、前記カバーの端部が挿入されるガイド溝を有している。
【００１９】
上記構成のフォーカルプレンシャッタによれば、地板に対してさらに安定的にカバーを固定させることができる。
【００２０】
上記フォーカルプレンシャッタにおいて、好ましくは、
前記カバーの前記駆動機構側の面の少なくとも一部には、粘着剤が配置されている。
【００２１】
上記構成のフォーカルプレンシャッタによれば、駆動機構で発生した塵埃をさらに効果的に吸着、捕獲することが可能となる。
【００２２】
上記フォーカルプレンシャッタにおいて、好ましくは、
前記フック（４１ｃ）は、端面が前記軸（１１ｃ）の一方の側方に当接する。
【００２３】
上記構成のフォーカルプレンシャッタによれば、フックの端面と軸の側方との間の摩擦により、軸に対してフックが安定的に固定される。これによりカバーが軸に安定的に保持された構成にすることができる。
【００２４】
上記フォーカルプレンシャッタにおいて、好ましくは、
前記フックは、前記軸に向けて付勢される。
【００２５】
上記構成のフォーカルプレンシャッタによれば、フックと軸との間に適度な摩擦を発生させることができる。これにより、軸に対してフックをより安定的に保持可能な構成にすることができる。
【００２６】
本発明は、上記いずれかのフォーカルプレンシャッタを備える、カメラなどの撮像装置、及びスマートフォン、タブレット機器、及びＰＣ（Ｐｒｅｓｏｎａｌ  Ｃｏｍｐｕｔｅｒ）などの電子機器を含む。
【００２７】
上記構成の撮像装置または電子機器によれば、駆動機構で発生する塵埃に起因する画質の低下を抑制し、高画質な画像の撮像が可能な構成とすることなどが可能となる。
【図面の簡単な説明】
【００２８】
【図１】図１は、実施形態１のフォーカルプレンシャッタの構成を示す斜視図である。
【図２】図２は、実施形態１のフォーカルプレンシャッタの構成を示す透過平面図である。
【図３】図３は、実施形態１のカバーの構成を示す斜視図である。
【図４】図４は、変形例１のカバーの構成を示す斜視図である。
【図５】図５は、変形例２のカバーの構成を示す斜視図である。
【図６】図６は、実施形態２のフォーカルプレンシャッタの構成を示す斜視図である。
【図７】図７は、実施形態２のフォーカルプレンシャッタの構成を示す平面図である。
【図８】図８は、実施形態２のカバーの構成を示す斜視図である。
【図９】図９は、実施形態２のカバーの構成を示す平面図である。
【図１０】図１０は、実施形態２のカバーにおけるフックの拡大図である。
【図１１】図１１は、実施形態２のカバーにおける軸に掛けられたフックの拡大図である。
【発明を実施するための形態】
【００２９】
本発明のフォーカルプレンシャッタは、デジタルカメラなどの撮像装置で利用されるものであり、フォーカルプレンシャッタの動作などにより発生する金属粉などの塵埃を捕獲するためカバーを有する構成としている点を特徴のひとつとしている。
【００３０】
本発明に係る実施形態及び変形例について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．変形例
（１）変形例１
（２）変形例２
３．実施形態２
４．本発明のフォーカルプレンシャッタの特徴
５．補足事項
【００３１】
＜１．実施形態１＞
図１〜図３は、本実施形態のフォーカルプレンシャッタの構成を示す図である。図１は、本実施形態のフォーカルプレンシャッタの斜視図である。図２は、本実施形態のフォーカルプレンシャッタの透過平面図である。図３は、本実施形態のフォーカルプレンシャッタに含まれるカバーの斜視図である。
【００３２】
図１〜図３に示されるように、本実施形態のフォーカルプレンシャッタは、地板１、羽根２、駆動機構３、及びカバー４を含んで構成される。周知のように、地板１の背面側には、地板１に対向するように補助地板が配置され、地板１との間に羽根２が収容される羽根室が形成されるが、ここではその説明は省略する。また、周知のように、地板１と補助地板との間には、中間板が配置され、地板１と中間板との間に第１の羽根が配置され、中間板と補助地板との間に第２の羽根が配置されることがある。
【００３３】
＜地板１＞
地板１は、フォーカルプレンシャッタの基板部分であって、矩形状の開口部１ａを有している。図１に示されるように、地板１において、開口部１ａの側方位置（図の左側）には、羽根２を駆動および制御する駆動機構３が搭載される。すなわち、駆動機構３は地板１上に設置される。なお、開口部１ａは完全な矩形状でなくてもよく、矩形以外の任意の形状を採用してもよい。
【００３４】
地板１の、カバー４と対向する位置には、カバー４の形状に合わせたガイド溝が形成される。このガイド溝には、カバー４の地板１側の端部が挿入される。
【００３５】
＜羽根２＞
羽根２は、上記のように地板１と補助地板の間の羽根室に配置される。羽根２は、複数の板状部材から構成され、「羽根群」と呼ばれることがある。羽根２は、アルミニウムなどの金属、カーボンファイバー、または樹脂により形成される。羽根２は、駆動機構により駆動されることで、開口部１ａの開閉状態を切り替えるよう走行する。
【００３６】
＜駆動機構３＞
駆動機構３は、地板１上に配置されており、例えば、永久磁石、ヨーク、コイル、及びコイルばねなどを含み、与えられた電力によって作動する、従来から知られる電磁アクチュエータまたはモータなどである。駆動機構３は、アーム（図示省略）を介して羽根２と連結されており、アームを介して羽根２に対して動力を伝達する。
【００３７】
また、駆動機構３は、例えば、羽根２にアーム（図示省略）を介して連結された駆動部材、駆動部材の作動を制御する電磁石、駆動部材を作動させる駆動ばね、駆動ばねの付勢力に抗して駆動部材をセットするセット部材、などが含まれるように構成してもよい。
【００３８】
＜支持板３１＞
駆動機構３は、地板１を挟んで補助地板と反対側に配置された支持板３１を有する。支持板３１は、上記した周知の永久磁石や駆動部材やセット部材などを支持する。支持板３１は、軸１１ａ〜１１ｃ、またはそれ以外の軸などにより地板１から離れた位置に固定される。駆動機構３の各部材は、支持板３１と地板１との間に配置される。
【００３９】
＜軸１１ａ〜１１ｃ＞
地板１上の、地板１と支持板３１の間には、例えば円柱状の軸１１ａ〜１１ｃが配置される。軸１１ａ〜１１ｃの一端は地板１上に連結され、他端は支持板３１に連結されることで、軸１１ａ〜１１ｃが、地板１及び支持板３１に固定される。
【００４０】
＜カバー４＞
カバー４は、例えば、磁性粉末を合成樹脂と混合したプラスチックマグネットを成型し、成型後に着磁して磁力を有するようにしたものである。カバー４は、駆動機構３の、開口部１ａの側を覆うよう配置される。つまり、カバー４は、駆動機構３の側面を覆う。カバー４は、長手方向に延びる長手部４１と、長手部４１の長手方向の端部から折り曲げられて形成された第１屈曲部４２及び第２屈曲部４３とを有する。第１屈曲部４２は、長手部４１から２回折り曲げられることで、長手部４１に対して略直角方向に延びている。第２屈曲部４３は、長手部４１から略直角に折り曲げられることで、長手部４１に対して略直角方向に延びている。長手部４１の延びる方向と、第１屈曲部４２及び第２屈曲部４３の延びる方向とは、略直角となる。第１屈曲部４２と第２屈曲部４３とは、略平行に対向する。図３に示されるように、長手部４１と第１屈曲部４２との間には、リブ４４ａが形成される。長手部４１と第２屈曲部４３との間には、リブ４４ｂが形成される。リブ４４ａ及び４４ｂが配置されることで、長手部４１と、第１屈曲部４２及び第２屈曲部４３との連結部分が撓みなどにより破損することを抑制する。
【００４１】
なお、リブ４４ａ及び４４ｂは必須の構成ではない。また、リブ４４ａ及び４４ｂに加えて、または代えて、他のリブを備える構成としてもよい。
【００４２】
カバー４の駆動機構３の側の面（内面）には、駆動機構３で発生した金属粉などの塵埃を捕獲する粘着剤が配置される。なお、粘着剤は粘着性を有する粘着テープなどであってもよい。カバー４の開口部１ａの側の面（外面）にも、部分的に粘着剤を配置してもよい。
【００４３】
長手部４１の、長手方向の中央近傍の、地板１側の端部には、フック４１ａが形成される。第１屈曲部４２の、長手部４１と逆側の端部には、フック４２ａが形成される。第２屈曲部４３の、長手部４１と逆側の端部には、フック４３ａが形成される。つまり、カバー４の長手方向の端部にはフック４２ａ及び４３ａが形成され、カバー４の短手方向の地板１側の端部にはフック４１ａが形成される。
【００４４】
フック４１ａは、軸１１ｃに掛けられることで固定される。フック４１ａは、両側から軸１１ｃを挟み込むよう、根元部分から二股に枝分かれしている。取り付けの際には、取り付け作業者は、フック４１ａの二股部分に軸１１ｃが圧入されるようになるよう、二股部分を広げながら軸１１ｃに押し込んでいく。これにより、フック４１ａが軸１１ｃに掛けられた状態となる。
【００４５】
なお、フック４１ａの形状は二股形状に限定されるものではなく、任意な形状を採用してよい。ただし、フック４１ａが、軸１１ｃを安定的に保持する形状とすることで、地板１及び駆動機構３に対してカバー４がより安定することとなる。
【００４６】
フック４２ａは、端部近傍が軸１１ｂに沿った湾曲形状になっている。取り付けの際には、湾曲形状部分が広がりながら軸１１ｂに押し込まれていく。これにより、フック４２ａが軸１１ｂに掛けられた状態となる。フック４３ａは、フック４２ａと同様に、端部近傍が軸１１ａに沿った湾曲形状になっている。取り付けの際には、湾曲形状部分が広がりながら軸１１ａに押し込まれていく。これにより、フック４３ａが軸１１ａに掛けられた状態となる。
【００４７】
本実施形態のフォーカルプレンシャッタは、平面視で開口部１ａと重なる位置であって、被写体とは逆側（光軸方向後方）に撮像素子を備える撮像装置（カメラ）などに用いられる。撮像素子は基板上に搭載される。撮像素子は、例えばＣＭＯＳセンサ、またはＣＣＤなどの光電変換素子である。
【００４８】
＜２．変形例＞
次に、本発明の実施形態の変形例について説明する。これらの変形例は、実施形態と比較して、カバーの構成が異なっている。以下の説明では、実施形態と異なる点を中心に説明し、実施形態と共通な部分については説明を省略する。
【００４９】
＜（１）変形例１＞
図４は、変形例１のフォーカルプレンシャッタにおけるカバー４Ａの斜視図である。本変形例のカバー４Ａは、実施形態のカバー４と比較して、フック４３ａがフック４３ｃに置き換えられている点で相違している。
【００５０】
フック４３ｃは、第２屈曲部４３の、端部より長手部４１に近い途中位置から、駆動機構３に向かって突出する板状に形成される。つまり、フック４３ｃは、実施形態１のフック４３ａとは、形成された位置が異なる。フック４３ｃは、駆動機構３の支持板３１と、地板１との間に配置された軸（図示省略）に掛けられる。
【００５１】
＜（２）変形例２＞
図５は、変形例２のフォーカルプレンシャッタにおけるカバー４Ｂの斜視図である。本変形例のカバー４Ｂは、実施形態のカバー４と比較して、リブ４４ａ及び４４ｂ、並びにフック４１ａが省略された構成となっている。
【００５２】
＜３．実施形態２＞
次に、本発明の実施形態２のフォーカルプレンシャッタについて、図６〜図１１を参照しながら具体的に説明する。本実施形態のフォーカルプレンシャッタは、実施形態１と同様にカバー４Ｃ、及びカバー４Ｃに形成されたフック４１ｃの構成に特徴を有している。なお、本実施形態において実施形態１と同様の構成については、同様の符号を付してその説明を省略する場合がある。
【００５３】
図６及び図７は、本実施形態のフォーカルプレンシャッタの構成を示す図であって、図６は斜視図、図７は平面図である。図８及び図９は、本実施形態のカバーの構成を示す図であって、図８は斜視図、図９は平面図である。図１０は、カバーの拡大図である。図１１は、軸に掛けられたカバーの拡大図である。
【００５４】
本実施形態のフォーカルプレンシャッタは、実施形態１と同様に、地板１、羽根２（図示省略）、駆動機構３、及びカバー４Ｃを含んで構成される。
【００５５】
＜カバー４Ｃ＞
図８及び図９に示されるように、本実施形態のカバー４Ｃは、長手方向に延びる長手部４１と、長手部４１の長手方向の端部から折り曲げられて形成された第１屈曲部４２及び第２屈曲部４３とを有する。第１屈曲部４２及び第２屈曲部４３は、それぞれ長手部４１の両端部から略直角に折り曲げられ、長手部４１に対して略直角方向に延びている。第１屈曲部４２と第２屈曲部４３とは、互いに略水平に延びる。
【００５６】
＜フック４１ｃ＞
長手部４１の、長手方向の中央近傍の、地板１側の端部には、フック４１ｃが形成される。つまり、フック４１ｃは、長手部４１の短手方向の端部に形成される。フック４１ｃは、長手部４１に対して略垂直に延びる。フック４１ｃの先端部は湾曲している。フック４１ｃは、軸１１ｃに掛けられることで固定される。組立時には、フック４１ｃは、軸１１ｃから離れる方向に一旦しならせてから軸１１ｃに掛ける。フック４１ｃは、軸１１ｃと対向する端面４１ｃ１（図１０及び図１１参照）が、軸１１ｃの一方の側面に当接する。フック４１ｃの端面４１ｃ１は、軸１１ｃの外周に沿った湾曲形状となっており、軸１１ｃの外周の略１／４に当接する。つまり、軸１１ｃの外周には、内角が９０°となる範囲においてフック４１ｃの端面４１ｃ１が当接する。フック４１ｃは、軸１１ｃ側に向かって付勢される。フック４１ｃと軸１１ｃとの間には摩擦が発生し、これによりフック４１ｃが軸１１ｃによって安定し、さらにカバー４Ｃが軸１１ｃ及び地板１に対して安定的に支持される。
【００５７】
なお、フック４１ｃは、軸１１ｃの全周の１／４以上、１／２以下にわたって軸１１ｃに接するよう形成されることが好ましい。
【００５８】
長手部４１の短手方向の、フック４１ｃが形成された側と同じ側の端部には、屈曲部４１ｈが形成される。屈曲部４１ｈは、地板１に接する。長手部４１の短手方向の、フック４１ｃが形成された側とは逆側の端部には、屈曲部４１ｄ、４１ｅ、及び４１ｆが形成される。屈曲部４１ｄ、４１ｅ、及び４１ｆは、地板１に対向している。これらの屈曲部４１ｄ、４１ｅ、及び４１ｆによって、カバー４Ｃが地板１からスラスト方向に浮いてしまうことを防止している。
【００５９】
第１屈曲部４２の、長手部４１と逆側の端部には、フック４２ｃが形成される。第２屈曲部４３の、長手部４１と逆側の端部には、フック４３ｄが形成される。第２屈曲部４３の、フック４３ｄが形成された端部とは異なる、地板１に面する端部とは逆側の端部には、屈曲部４３ｅが形成される。
【００６０】
＜４．本発明のフォーカルプレンシャッタの特徴＞
以上、実施形態とその変形例で説明した本実施形態のフォーカルプレンシャッタは、例えば以下のような特徴を有する。
【００６１】
上記のフォーカルプレンシャッタは、駆動機構３の開口部１ａの側を覆うように配置されたカバー４を備え、カバー４の少なくとも一部が磁力を有する構成としている。この構成により、駆動機構３で発生した金属粉などの塵埃をカバー４で吸着、捕獲することが可能になる。ひいては、塵埃が撮像素子に付着することに起因する、本発明のフォーカルプレンシャッタを採用した撮像装置で撮像する画像の画質の低下を抑制することが可能となる。また、塵埃が駆動機構３の中で堆積しづらくなるため、塵埃の堆積による作動不具合の発生を抑制することができる。
【００６２】
なお、実施形態ではカバー４全体が磁力を有する構成を例示して説明したが、カバー４は全体が磁力を有する構成ではなく、部分的に磁力を有する構成としてもよい。例えば、駆動機構３において摩耗等が発生する位置の近傍に、磁力を有する部材を配置するような構成を採用してもよい。
【００６３】
また、上記のフォーカルプレンシャッタは、カバー４が磁力を有する素材で形成された構成としている。これにより、比較的簡易な構成で、金属粉などの塵埃を吸着、捕獲可能な構成にすることができる。また、カバー４全体を、磁力を有する素材で形成することで、カバー４全体で効果的に金属粉などの塵埃を吸着、捕獲することが可能となる。
【００６４】
また、上記のフォーカルプレンシャッタは、カバー４がプラスチックマグネットなどの磁力を有する素材で形成された構成としている。これにより、例えば、カバー４の成形に射出成形などを利用することで、種々の形状に対応する構成にすることなどが可能となる。特に、図４で示した変形例１のような構成とする場合には有用である。
【００６５】
また、上記のフォーカルプレンシャッタは、地板１が、駆動機構３との間に軸１１ａ〜１１ｃを有しており、カバー４のフック４１ａ、４２ａ、及び４３ａがこれらの軸１１ａ〜１１ｃに掛けられた構成としている。この構成により、地板１及び駆動機構３にカバー４を固定して安定させることができる。
【００６６】
また、上記のフォーカルプレンシャッタは、フック４１ａが、カバー４の長手方向に延びる長手部４１の途中位置に形成された構成としている。特に、実施形態及び変形例１では、長手方向の略中央に形成されている。この構成により、地板１及び駆動機構３に対してカバー４をより安定的に固定させることができる。
【００６７】
なお、フック４１ａの位置は、長手部４１の長手方向の略中央に限定されるものではなく、長手部４１のいずれかの位置に形成されてもよい。ただし、フック４１ａが長手部４１の長手方向の中央近傍に配置されることで、カバー４がより安定的に地板１及び駆動機構３に固定される。
【００６８】
また、上記のフォーカルプレンシャッタは、実施形態１及び変形例２の構成において、フック４２ａ及び４３ａが、カバー４の両端部に形成されている。また、変形例１の構成においては、フック４２ａはカバー４の端部に形成され、フック４３ａはカバー４の端部近傍に形成されている。このような構成により、地板１及び駆動機構３に対してカバー４をより安定的に固定させることができる。
【００６９】
なお、フック４２ａ及び４３ａは、カバー４の両端部近傍であれば実施形態及び変形例とは異なる位置に形成してもよい。
【００７０】
また、上記のフォーカルプレンシャッタは、地板１が、カバー４の端部が挿入されるガイド溝（図示省略）を有する構成としている。これにより、地板１に対してさらに安定的にカバー４を固定させることができる。
【００７１】
また、上記のフォーカルプレンシャッタは、カバー４の駆動機構３側の面の少なくとも一部に粘着剤が配置された構成としている。これにより、駆動機構で発生した塵埃をさらに効果的に吸着、捕獲することが可能な構成となる。
【００７２】
また、実施形態２のフォーカルプレンシャッタは、フック４１ｃの端面４１ｃ１が、軸１１ｃの一方の側面に当接するよう、フック４１ｃが形成された構成としている。この構成により、フック４１ｃの端面４１ｃ１と軸１１ｃの側方との間の摩擦により、軸１１ｃに対してフック４１ｃが安定的に固定される。これによりカバー４Ｃが軸１１ｃに安定的に保持された構成となっている。
【００７３】
また、実施形態２のフォーカルプレンシャッタは、フック４１ｃが、軸１１ｃの１／４以上１／２にわたって軸１１ｃに接する構成としている。この構成により、軸１１ｃにフック４１ｃを掛けやすい構成にしつつ、フック４１ｃと軸１１ｃとの間に、軸１１ｃに対してフック４１ｃが安定するための適度な摩擦を発生させやすい構成となっている。
【００７４】
また、実施形態２のフォーカルプレンシャッタは、フック４１ｃが軸１１ｃに向けて付勢された構成としている。この構成により、軸１１ｃに対してフック４１ｃをより安定的に保持可能な構成となっている。
【００７５】
また、上記のフォーカルプレンシャッタは、カメラなどの撮像装置、及びスマートフォン、タブレット機器、及びＰＣなどの電子機器に用いられる。これらの撮像装置及び電子機器によれば、塵埃に起因する画質の低下を抑制した、高画質な画像を撮像可能な構成とすることなどが可能となる。
【００７６】
＜５．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００７７】
上記実施形態及び各変形例のフォーカルプレンシャッタでは、羽根２を含む構成を例示して説明したが、周知のように、先羽根及び後羽根を含む構成としてもよい。
【産業上の利用可能性】
【００７８】
本発明のフォーカルプレンシャッタは、デジタルカメラなどの撮像装置、及びスマートフォン、タブレット機器、及びＰＣなどの電子機器に好適に適用される。
【符号の説明】
【００７９】
１…地板
１ａ…開口部
１１ａ〜１１ｃ…軸
２…羽根
３…駆動機構
３１…支持板
４、４Ａ、４Ｂ…カバー
４１…長手部
４１ａ、４１ｃ、４２ａ、４３ａ、４３ｃ…フック
４４ａ、４４ｂ…リブ
【図１】
2020101787.tif 000003
【図２】
2020101787.tif 000004
【図３】
2020101787.tif 000005
【図４】
2020101787.tif 000006
【図５】
2020101787.tif 000007
【図６】
2020101787.tif 000008
【図７】
2020101787.tif 000009
【図８】
2020101787.tif 000010
【図９】
2020101787.tif 000011
【図１０】
2020101787.tif 000012
【図１１】
2020101787.tif 000013